(57)【要約】【課題】撮影中映像の邪魔になることなく、かつフォーカスを合わせるタイミングでエッジ成分に基づく波形画像が表示されるようにする。【解決手段】通常撮影中に、撮像映像が全画面表示され、エッジモニタはＯＦＦされている。これにより、エッジモニタが邪魔になって撮影中映像の視認性が低下するのを回避することができ、画角確認等が阻害されることがない。この状態で、ユーザがフォーカス調整を実行する、又は拡大表示を実行する入力が入力操作部１１３より入力すると、撮像映像の中央部が拡大表示され、この拡大表示に連動して、画面下部に、拡大された映像から抽出されたエッジ成分に基づく波形画像４０１が重畳表示される。これにより、フォーカス調整がより容易になる。【選択図】図４
2014204390.tif 000002
【特許請求の範囲】
【請求項１】
撮像映像を表示部に表示する表示制御手段と、
前記撮像映像の一部を前記表示部に拡大表示する拡大表示手段と、
前記撮像映像のエッジ成分に基づく波形画像を生成し、前記表示部に表示する波形画像生成表示手段とを備え、
前記拡大表示手段による撮像映像の拡大表示に連動して、前記波形画像生成表示手段が波形画像を生成、表示するモードを有することを特徴とする撮像装置。
【請求項２】
前記拡大表示手段による撮像映像の拡大表示が解除されると、前記波形画像生成表示手段による波形画像の生成、表示を解除することを特徴とする請求項１に記載の撮像装置。
【請求項３】
前記拡大表示手段による撮像映像の拡大表示が解除され、通常の撮像映像の表示に戻った後、所定の時間の間、前記表示制御手段は、それまで拡大表示されていた領域を明示するとともに、前記波形画像生成表示手段は、それまで拡大表示されていた領域のエッジ成分に基づく波形画像と、前記領域外のエッジ成分に基づく波形画像とを視覚的に判別可能なように生成、表示することを特徴とする請求項１に記載の撮像装置。
【請求項４】
撮像映像を表示部に表示する表示制御手段と、
前記撮像映像の一部を前記表示部に拡大表示する拡大表示手段と、
前記撮像映像のエッジ成分に基づく波形画像を生成し、前記表示部に表示する波形画像生成表示手段とを備えた撮像装置の制御方法であって、
前記拡大表示手段による撮像映像の拡大表示に連動して、前記波形画像生成表示手段が波形画像を生成、表示するステップを有することを特徴とする撮像装置の制御方法。
【請求項５】
撮像映像を表示部に表示する表示制御手段と、
前記撮像映像の一部を前記表示部に拡大表示する拡大表示手段と、
前記撮像映像のエッジ成分に基づく波形画像を生成し、前記表示部に表示する波形画像生成表示手段としてコンピュータを機能させ、
前記拡大表示手段による撮像映像の拡大表示に連動して、前記波形画像生成表示手段が波形画像を生成、表示するモードを有することを特徴とするプログラム。
【発明の詳細な説明】
【技術分野】
【０００１】
本発明は、撮像映像のエッジ成分に基づく波形画像を表示する補助表示機能を有する撮像装置、その制御方法及びプログラムに関する。
【背景技術】
【０００２】
自動焦点検出（Auto Focus：以下、ＡＦと記す）技術の進歩に伴い、スチルカメラやビデオカメラ等の撮像装置での焦点検出は主にＡＦが用いられている。
【０００３】
その一方で、マクロ撮影のようにフォーカスを厳密に合わせる必要がある場合や、意図的にぼけた映像を撮影する場合、ＡＦでは合焦しづらい条件下にある場合等においては、手動による焦点調節（Manual Focus：以下、ＭＦと記す）での撮影が行われることも多い。特にＭＦ操作を行う場合、操作性や合焦精度は光学ファインダや表示装置（電子ビューファインダ（ＥＶＦ））の解像度に大きく左右される。しかしながら、光学ファインダや表示装置の大型化や高解像度化は、撮像装置の大型化や高価格化につながる。そのため、全ての撮像装置において、容易かつ精度の高いＭＦ操作を実現するのに十分な光学ファインダや表示装置が搭載されているとは言えない状況にある。
【０００４】
そこで、撮影者が合焦度合い（合焦状態）をよりわかりやすく把握できるよう、様々な補助表示機能が実現されている。例えば撮像映像のうち合焦しているエッジ部分の強調表示（ピーキング）や、合焦状態確認のための部分拡大表示等がある。
また、特許文献１には、図形表示可能なビューファインダを備えた撮像装置であって、撮像信号から抽出した高域成分のヒストグラムをビューファインダに２次元グラフ表示する撮像装置ことが開示されている。
また、特許文献２には、撮像映像の所定方向におけるエッジ成分を抽出し、抽出したエッジ成分のレベルと、抽出された位置とを表す波形表示画像を生成し、撮像映像とともに、波形表示画像を表示する撮像装置が開示されている。
【先行技術文献】
【特許文献】
【０００５】
【特許文献１】特許第４０８９６７５号公報
【特許文献２】特開２０１０−２４３９２３号公報
【発明の概要】
【発明が解決しようとする課題】
【０００６】
しかしながら、ヒストグラムや波形表示画像を常時表示していると、肝心の撮影中映像の一部を覆ってしまうため、画角確認が困難になることがある点で問題があった。そのため、通常撮影中はヒストグラムや波形表示画像の表示をＯＦＦし、フォーカスを確認する場面になるとわざわざＯＮする作業が必要となり、その操作が煩雑であった。
【０００７】
本発明は上記のような点に鑑みてなされたものであり、撮影中映像の邪魔になることなく、かつフォーカスを合わせるタイミングでエッジ成分に基づく波形画像が表示されるようにすることを目的とする。
【課題を解決するための手段】
【０００８】
本発明の撮像装置は、撮像映像を表示部に表示する表示制御手段と、前記撮像映像の一部を前記表示部に拡大表示する拡大表示手段と、前記撮像映像のエッジ成分に基づく波形画像を生成し、前記表示部に表示する波形画像生成表示手段とを備え、前記拡大表示手段による撮像映像の拡大表示に連動して、前記波形画像生成表示手段が波形画像を生成、表示するモードを有することを特徴とする。
【発明の効果】
【０００９】
本発明によれば、撮像映像の拡大表示に連動して、エッジ成分に基づく波形画像を生成、表示するモードを有するので、このモードにおいては、撮影中映像の邪魔になることなく、かつフォーカスを合わせるタイミングでエッジ成分に基づく波形画像が表示される。
【図面の簡単な説明】
【００１０】
【図１】第１の実施形態に係るハイビジョンデジタルビデオカメラの構成を示すブロック図である。
【図２】ビデオ制御部における撮像映像からのエッジ成分抽出及びその波形画像の生成及び表示制御、拡大表示用画像の生成及び表示制御に係る構成を示す図である。
【図３】通常のエッジモニタ表示設定になっているときの表示例を示す図である。
【図４】拡大表示に連動させるエッジモニタ表示設定になっているときの表示例を示す図である。
【図５】第１の実施形態において拡大表示を実行するときの処理を示すフローチャートである。
【図６】第２の実施形態に係るハイビジョンデジタルビデオカメラのビデオ制御部の構成例を示すブロック図である。
【図７】第２の実施形態において拡大表示を解除し、通常画面表示を実行するときの処理を示すフローチャートである。
【発明を実施するための形態】
【００１１】
以下、添付図面を参照して、本発明の好適な実施形態について説明する。
＜第１の実施形態＞
第１の実施形態に係る撮像装置の一例として、マニュアルフォーカス機能を備えたハイビジョンデジタルビデオカメラ（以下、ビデオカメラという）について説明する。
図１は、第１の実施形態に係るビデオカメラの構成を示すブロック図である。
レンズ部１０１は、被写体像を撮像素子１０２の撮像面上に結像する光学系を構成し、ズーム機能、焦点調節機能、及び絞り調節機能を備える。
撮像素子１０２は、多数の光電変換素子が２次元的に配列された構成を有し、レンズ部１０１によって結像された被写体光学像を画素単位の映像信号に変換する。撮像素子１０２は、例えばＣＭＯＳ（Complementary Metal Oxide Semiconductor）イメージセンサや、ＣＣＤ（Charged Coupled Device）イメージセンサであってよい。撮像素子１０２は、光電変換素子による電荷蓄積時間を調整することによる電子シャッター機能を備える。
撮像素子駆動部１０３は、カメラ信号処理部１０６が制御するタイミングに従って撮像素子１０２を駆動制御する。
【００１２】
ＣＤＳ／ＡＧＣ部１０４は、撮像素子１０２からのアナログ映像信号を相関二重サンプリング（ＣＤＳ）してノイズを削減し、システム制御部１１１の制御に従って信号レベルのゲイン制御（ＡＧＣ）を行う。
Ａ／Ｄ（Analog to Digital）変換部１０５は、ＣＤＳ／ＡＧＣ部１０４からのアナログ映像信号をデジタル映像信号に変換し、カメラ信号処理部１０６に供給する。
【００１３】
カメラ信号処理部１０６は、Ａ／Ｄ（Analog to Digital）変換部１０５からのデジタル映像信号に信号処理を施す。
第１記憶部１０７は、カメラ信号処理用の記憶部であり、撮像映像を信号処理する際のフレームメモリ等としてカメラ信号処理部１０６が使用する。
【００１４】
レンズ駆動部１０８は、システム制御部１１１の制御に従ってレンズ部１０１のモータやアクチュエータ等を駆動し、ズーム倍率やフォーカス調整、露出調整を行う。レンズ駆動部１０８の制御は、システム制御部１１１がカメラ信号処理部１０６での信号処理結果に基づいて行う。例えばＡＦ制御時には、カメラ信号処理部１０６が求めたＡＦ評価値に基づいてシステム制御部１１１がレンズ駆動部１０８を制御し、レンズ部１０１のフォーカス調整用レンズを駆動制御することで、レンズ部１０１を被写体に合焦させる。手動でレンズ部１０１の焦点調節を行うマニュアルフォーカスモードが設定されている場合、システム制御部１１１は撮影者による焦点調節操作を検出する。具体的に、システム制御部１１１は、入力操作部１１３に含まれる、焦点距離の調整用スイッチやレバー、又はレンズ部１０１の鏡筒外周に設けられたフォーカスリングの操作を検出する。そして、システム制御部１１１は、検出した操作に応じた焦点の移動方向と移動量に従ってレンズ駆動部１０８を制御し、レンズ部１０１の焦点距離を変更させる。なお、撮影者が操作するスイッチやレバー等によって機械的にレンズ部１０１の焦点距離が変更可能である場合には、システム制御部１１１やレンズ駆動部１０８が介在する必要はない。
【００１５】
システム制御部１１１は、例えばＣＰＵであってよく、例えば第３記憶部１１６に記憶されたプログラムを実行することにより、後述するマニュアルフォーカス時の補助表示処理を含む、ビデオカメラの動作全般を制御する。
第３記憶部１１６は、システム制御用の記憶部であり、例えばＲＯＭやＲＡＭを含み、システム制御部１１１が実行するプログラムや各種設定、初期値等を記憶する。また、第３記憶部１１６は、システム制御部１１１のワークエリアとしても用いられる。
【００１６】
入力操作部１１３は、撮影者がビデオカメラに指示を与えるためのユーザインタフェースであり、キー、ボタン、タッチパネル等の入力デバイスを備える。入力操作部１１３は、拡大表示ＯＮ／ＯＦＦボタン、ゼブラパターンやピーキング表示ＯＮ／ＯＦＦ、マニュアル・フォーカス・アシスト機能表示ＯＮ／ＯＦＦ等、各種機能の選択ボタンや決定ボタンを含む。また、入力操作部１１３は、静止画撮影用のシャッターボタン、ＭＦリング、ズームスイッチ、絞り調整ダイヤル等も含む。
計時部１１４は、リアルタイムクロック（ＲＴＣ）とバックアップ電池を備え、システム制御部１１１からの要求に応じて、日時情報を返信する。
【００１７】
ビデオ制御部１１５は、第１表示部１２２及び第２表示部１２３に対する色相、彩度、明度の調整を含む表示制御、及び記録／再生部１２０の制御等を行う。ビデオ制御部１１５は、第１表示部１２２及び第２表示部１２３を含む各映像出力系に対する映像信号の解像度変換や、ゼブラパターンやピーキング信号の生成及び重畳表示制御、撮像映像からのエッジ成分抽出及びその波形画像の生成及び重畳表示制御、拡大表示用画像の生成及び表示制御等を行う。また、ビデオ制御部１１５は、撮影情報やユーザ設定メニュー等のＯＳＤ（On Screen Display）表示制御も行う。
第２記憶部１１２は、ビデオ制御用の記憶部であり、ビデオ制御部１１５がビデオベースバンド信号に関する信号処理を行う際のフレームメモリ、ワークメモリ等として使用する。また、拡大表示を行う指示が入力操作部１１３を介してシステム制御部１１１に入力されると、システム制御部１１１は拡大表示を行う。
【００１８】
コーデック（ＣＯＤＥＣ）部１１７は、動画像等の符号化／復号化処理を行う画像コーデックを行う。符号化／復号化の形式はＭＰＥＧ（Moving Picture Experts Group）−２方式を始め、他の形式や静止画向けのＪＰＥＧ２０００やＰＮＧ形式等であってよい。コーデック部１１７は、ビデオ制御部１１５に接続されており、ビデオ制御部１１５からの命令に応じて映像信号の符号化／復号化を実行する。
第４記憶部１１９は、コーデック用の記憶部であり、コーデック部１１７が映像信号の符号化／復号化を実行する際に用いる。
【００１９】
記録／再生部１２０は、ビデオ制御部１１５とコーデック部１１７により符号化処理され、記録フォーマットとして処理された記録データを記録媒体１２１に対して記録したり、読み出したりする。
第１表示部１２２及び第２表示部１２３は、情報を表示する。本実施形態において、第２表示部１２３は第１表示部１２２よりも小型であり、ファインダ内に設けられているものとする。一方、第１表示部１２２は、例えば筐体の側面等に開閉可能に設けられる比較的大型の表示装置である。これら第１表示部１２２及び第２表示部１２３には、撮像素子１０２からの入力映像や拡大映像に加え、フォーカス枠表示等の補助表示が表示される。撮像素子１０２からの入力映像を順次表示することで、第１表示部１２２及び第２表示部１２３は電子ビューファインダ（ＥＶＦ）として機能する。補助表示には、ゼブラパターン表示を始め、ピーキング表示や撮像映像のエッジ成分に基づく波形画像表示といったマニュアルフォーカスの補助表示も含まれる。
【００２０】
なお、ここでは便宜上、第１〜第４記憶部１０７、１１２、１１６、１１９がそれぞれカメラ信号処理用、システム制御用、ビデオ制御用、コーデック用として個別に設けられているものとして記載するが、物理的には同じ記憶媒体で実現されてもよい。第１〜第４記憶部１０７、１１２、１１６、１１９は、典型的には読み書き可能な半導体メモリによって構成されるが、他の記憶媒体で構成されてもよい。
【００２１】
ここで、第１の実施形態における撮像映像のエッジ成分に基づく波形画像表示の概要について説明する。撮像映像のエッジ成分に基づく波形画像表示は、エッジモニタ機能とも呼ばれている。
図３は、通常のエッジモニタ表示設定になっているときの第１表示部１２２の表示例を示す。
図３に示すように、通常撮影中に、撮像映像が全画面表示され、画面下部に、撮像映像から抽出されたエッジ成分に基づく波形画像３０１が重畳表示される。波形画像３０１は、撮像映像の水平方向におけるエッジ成分を抽出し、抽出したエッジ成分のレベルと、抽出された位置とを表す。波形画像３０１を見易くするために、波形画像３０１の背景にバックグラウンドカラー（半透過の黒等）３０２を表示するようにしても良い。その際には、撮像映像にバックグラウンドカラー３０２を重畳し、次いで、そのバックグラウンドカラー３０２の上に波形画像３０１を重畳するようにすると波形画像３０１の視認性を向上することができる。
【００２２】
図４（ａ）、（ｂ）は、拡大表示に連動させるエッジモニタ表示になっているときの第１表示部１２２の表示例を示す。
図４（ａ）に示すように、通常撮影中に、撮像映像が全画面表示され、エッジモニタはＯＦＦされている。これにより、エッジモニタが邪魔になって撮影中映像の視認性が低下するのを回避することができ、画角確認等が阻害されることがない。
図４（ａ）の状態で、ユーザがフォーカス調整を実行する、又は拡大表示を実行する入力が入力操作部１１３より入力すると、図４（ｂ）に示すように、撮像映像の中央部が拡大表示される。そして、この拡大表示に連動して、画面下部に、拡大された映像から抽出されたエッジ成分に基づく波形画像４０１が重畳表示される。これにより、フォーカス調整がより容易になる。なお、バックグラウンドカラー４０２についてはバックグラウンドカラー３０２と同様である。
図４（ｂ）の状態で、フォーカス調整入力が一定時間なかった、又は拡大表示を解除する入力が入力操作部１１３より入力されると、図４（ｂ）の画面でエッジモニタがＯＦＦされる、又は図４（ａ）の画面に戻る。
以上のように、エッジモニタが邪魔になって撮影中映像の視認性が低下するのを回避することができ、拡大表示に連動してエッジモニタの閲覧を行うことができる。
なお、通常撮影中にもエッジモニタを表示させたい場合（図３を参照）、別途メニュー設定や入力操作部からの入力に応じて表示させることは可能である。
【００２３】
以下、図２を参照して、ビデオ制御部１１５における撮像映像からのエッジ成分抽出及びその波形画像の生成及び表示制御、拡大表示用画像の生成及び表示制御に係る構成について説明する。図２に示す構成により、図３、図４で説明したエッジモニタ表示が可能となる。
拡大表示処理回路２０１は、システム制御部１１１からの処理指示信号に応じて、入力される撮像映像の拡大処理を実行する。
【００２４】
前処理部２０２は、エッジ抽出回路２０３と、メモリコントローラＡ ２０４と、波形制御部２０５とを含む。
エッジ抽出回路２０３は、撮像映像からエッジ信号を抽出する。
メモリコントローラＡ ２０４は、映像信号のフィールド（又はフレーム）毎に、バンクメモリ部２０６の波形保存メモリＢａｎｋ１ ２０７と波形保存メモリＢａｎｋ２ ２０８とのバンク切り替え制御を行うとともに、メモリアクセスのための制御を行う。メモリコントローラＡ ２０４は、映像信号の現座標情報と、エッジ抽出回路２０３で抽出したエッジ情報の振幅を、それぞれ直交座標系における情報として考え、メモリアクセスのためのアドレスを生成する。
例えば、図４に示すような波形画像を水平方向に表示する場合、メモリのアドレス空間を、映像信号の水平座標を横軸に、エッジ情報の振幅（レベル）を縦軸とした２次元空間とみなしてアクセス制御を行う。ここでのアクセス処理は、初めに該当アドレスのデータを読み出し、後述する波形制御部２０５において処理されたデータを、再びメモリコントローラＡ ２０４を通じて、同一アドレスに書き戻す処理である。
波形制御部２０５は、メモリコントローラＡ ２０４が波形保存メモリＢａｎｋ１ ２０７から読み出したデータに対して、エッジ抽出回路２０３で抽出したエッジ情報のデータに任意のゲインを乗じたものを加算して、再びメモリコントローラＡ ２０４に返す。波形制御部２０５がエッジ情報のデータに乗じるゲインをシステム制御部１１１から制御することで、頻度によるデータの増加割合を制御することができ、視認性を制御することが可能となる。
【００２５】
これらの処理及び後述する後処理部２０９の画像合成回路２１０での合成処理により、アクセス頻度が高いアドレスのデータ値、即ち同一レベルの頻度が大きい場合に表示輝度が大きく（明るく）なるように制御することができる。なお、各アドレスの初期値は、例えば最低輝度に対応する値であり、最初にアクセスされた際に所定値を書き込み、２度目のアクセスからは、上述した読み出し及び書き戻しを行うことができる。また、頻度制御を行う効果としては、エッジではない単発的なノイズ成分が、エッジであるかのように表示、認識されること等を防止できる。
【００２６】
１フィールド（又は１フレーム）での処理が終了した後、後処理部２０９のメモリコントローラＢ ２１１によって各アドレスのデータ（及びフラグ情報）を読み出し、読み出したアドレスとデータに基づいて、波形画像が生成される。本実施形態において、図３に示すような水平表示のときは、メモリのアドレス空間を、映像信号の水平座標を横軸に、エッジ情報の振幅（レベル）を縦軸とした２次元空間とみなしてアクセス制御を行う。そのため、撮像映像の映像内に対応したエッジ成分、即ち合焦状態を視覚的に把握することができる。
また、上述のアクセス制御により、アクセス頻度の高いアドレスには大きなデータが書き込まれる。つまり、抽出方向における同一座標（位置）で同一レベルのエッジ成分が抽出された回数が多いほど、当該同一レベルを表す指標の輝度が高く（明るく）表示されることになる。また、エッジ成分の抽出方向（本実施形態では水平又は垂直方向）における同一座標で異なるレベルのエッジ成分が異なる頻度で抽出された場合、その位置に対応した指標の輝度は一定でなく、検出されたレベルに対応する位置で変化する。さらに、フラグ情報に基づき、指定領域に対応するエッジ成分については他の領域についてのエッジ成分とは表示方法を異ならせるので、どの領域に対応したエッジ成分であるのかを容易に把握することができる。
【００２７】
バンクメモリ部２０６は、波形保存メモリＢａｎｋ１ ２０７と、波形保存メモリＢａｎｋ２ ２０８とを含む。
波形保存メモリＢａｎｋ１ ２０７と波形保存メモリＢａｎｋ２ ２０８とは等価であり、映像信号のフィールド（又はフレーム）毎に、メモリコントローラＡ ２０４とメモリコントローラＢ ２１１のいずれかからアクセスされるように切り替えられている。
ここでは、波形保存メモリＢａｎｋ１ ２０７がメモリコントローラＡ ２０４からアクセスされているときには、別バンクの波形保存メモリＢａｎｋ２ ２０８がメモリコントローラＢ ２１１からアクセスされるように制御しているものとする。そして、次の映像フィールド（又はフレーム）では、メモリコントローラと波形保存メモリとのアクセス関係が入れ替わる。
【００２８】
後処理部２０９は、画像合成回路２１０と、メモリコントローラＢ ２１１とを含む。
画像合成回路２１０は、映像信号と、メモリコントローラＢ ２１１によってバンクメモリ部２０６から読み出したエッジ情報に基づく波形画像とを合成し、第１表示部１２２に表示する。上述のように、画像合成回路２１０は、読み出されたエッジ情報がフラグ情報を有している場合には、フラグ情報を有さないエッジ成分と視覚的に判別できるように表示する。
メモリコントローラＢ ２１１は、メモリコントローラＡ ２０４により波形保存メモリＢａｎｋ１ ２０７又は波形保存メモリＢａｎｋ２ ２０８に書き込まれたエッジ情報を読み出し、画像合成回路２１０に供給する。
画像合成回路２１０は、エッジ情報とフラグ情報から、上述したように、エッジ成分のレベルと抽出された位置とを表す波形画像を生成し、撮像映像と位置合わせして合成して第１表示部１２２に表示する。
【００２９】
システム制御部１１１は、詳細な接続配線は記載していないが、ビデオ制御部１１５内の各種制御、例えばエッジ抽出回路２０３で抽出するエッジ成分の中心周波数やゲインコントロール、波形制御部２０５でのゲイン制御を行う。また、システム制御部１１１は、画像合成回路２１０でのエッジ成分に基づく波形表示画像の合成有無や映像信号に対する合成位置制御、指定領域とそれ以外の領域に対応する波形表示方法の制御等も行う。
【００３０】
図５は、ユーザがフォーカス調整を実行する、又は拡大表示を実行する入力が入力操作部１１３より入力して拡大表示するときの画面表示処理を示すフローチャートである。
撮像映像の拡大表示処理を実行する（ステップＳ５０１）とともに、拡大表示に連動させるエッジモニタ表示設定となっているか否かを判別する（ステップＳ５０２）。
ステップＳ５０２において設定がＯＮとなっていれば、エッジモニタ表示処理を実行する（ステップＳ５０４）。
ステップＳ５０２において設定がＯＮとなっていなければ、元々、通常のエッジモニタ表示設定となっていたか否かを判別する（ステップＳ５０３）。
ステップＳ５０３において通常のエッジモニタ表示設定となっていれば、エッジモニタ表示処理を実行する（ステップＳ５０４）。ステップＳ５０３において通常のエッジモニタ表示設定となっていなければ、エッジモニタ表示を行わずに、本処理を終了する。
この拡大表示処理は、ユーザからの拡大表示実行の指示に応じて一定時間毎に呼び出され、撮像映像やエッジモニタのリアルタイムでの視認を確保する。
【００３１】
＜第２の実施形態＞
第２の実施形態に係る撮像装置の一例として、マニュアルフォーカス機能を備えたハイビジョンデジタルビデオカメラ（以下、ビデオカメラという）について説明する。ビデオカメラの構成は、図１に示した第１の実施形態に係るビデオカメラの構成と同様であり、ここではその説明を省略する。
【００３２】
ここで、第２の実施形態における撮像映像のエッジ成分に基づく波形画像表示の概要について説明する。
図３は、通常のエッジモニタ表示設定になっているときの第１表示部１２２の表示例を示す。図３については第１の実施形態で説明したので、ここではその説明を省略する。
【００３３】
図４（ａ）〜（ｃ）は、拡大表示に連動させるエッジモニタ表示設定になっているときの第１表示部１２２の表示例を示す。
図４（ａ）に示すように、通常撮影中に、撮像映像が全画面表示され、エッジモニタはＯＦＦされている。これにより、エッジモニタが邪魔になって撮影中映像の視認性が低下するのを回避することができ、画角確認等が阻害されることがない。
図４（ａ）の状態で、ユーザがフォーカス調整を実行する、又は拡大表示を実行する入力が入力操作部１１３より入力すると、図４（ｂ）に示すように、撮像映像の中央部が拡大表示される。そして、この拡大表示に連動して、画面下部に、拡大された画像で抽出されたエッジ成分に基づく波形画像４０１が重畳表示される。これにより、フォーカスの調整がより容易になる。
図４（ｂ）の状態で、フォーカス調整入力が一定時間なかった、又は拡大表示を解除する入力が入力操作部１１３より入力されると、図４（ｃ）の画面に遷移する。図４（ｃ）の画面では、撮像映像が全画面表示されるとともに、前回拡大表示された領域４０４が明示される。そして、画面下部に、領域４０４外で抽出されたエッジ成分に基づく波形画像４０３が重畳表示される。また、画面下部に、領域４０４内で抽出されたエッジ成分に基づく波形画像４０５が重畳表示される。波形画像４０５は、視覚的に判別可能なように波形画像４０３と異なる色で表示される。なお、バックグラウンドカラー４０６についてはバックグラウンドカラー３０２、４０２と同様である。これにより、フォーカスの調整を実行した結果を認識し易くすることができる。
図４（ｃ）の状態で一定時間経過すると、図４（ａ）の画面に戻る。これにより、エッジモニタが邪魔になって撮影中映像の視認性が低下するのを回避することができ、画角確認等が阻害されることがない。
【００３４】
以下、図６を参照して、ビデオ制御部１１５における撮像映像からのエッジ成分抽出及びその波形画像の生成及び表示制御、拡大表示用画像の生成及び表示制御に係る構成について説明する。第２の実施形態では、図２に示した第１の実施形態におけるビデオ制御部１１５の構成に対して、領域指定回路２１４が追加されている。以下では、第１の実施形態との相違点を中心に説明し、第１の実施形態との共通点についての説明は省略する。
領域指定回路２１４は、撮像映像のうち、システム制御部１１１を通じて指定された領域の情報を、領域指定信号によってメモリコントローラＡ ２０４に通知する。システム制御部１１１から領域指定回路２１４に指定可能な領域の大きさ、数及び位置に特に制限はない。
ここでは、例えば図４（ｃ）に示すように、拡大表示の実施（図４（ｂ）を参照）後に、拡大表示されていない通常撮影中の表示に戻ったときに、前回拡大表示された領域４０４が指定されるものとする。
【００３５】
また、メモリコントローラＡ ２０４は、領域指定回路２１４から領域指定信号により指定された領域については、抽出されたエッジ成分にフラグ情報を付加して波形保存メモリに書き込む。そして、メモリコントローラＢ ２１１でフラグ情報も含めて読み出し、画像合成回路２１０は、フラグ情報に基づいて、指定領域に対するエッジ情報の表示方法（例えば表示色）を指定領域外についてのエッジ情報と異ならせる制御を行う。
１フィールド（又は１フレーム）での処理が終了した後、メモリコントローラＢ ２１１によって各アドレスのデータ（及びフラグ情報）を読み出し、読み出したアドレスとデータ、並びにフラグ情報に基づいて、波形画像が生成される。本実施形態において、図３に示すような水平表示のときは、メモリのアドレス空間を、映像信号の水平座標を横軸に、エッジ情報の振幅（レベル）を縦軸とした２次元空間とみなしてアクセス制御を行う。そのため、撮像映像の映像内に対応したエッジ成分、即ち合焦状態を視覚的に把握することができる。
【００３６】
図４（ｃ）は、指定領域４０４内で抽出されたエッジ成分に基づく波形画像４０５を、指定領域４０４外で抽出されたエッジ成分に基づく波形画像４０３と異なる色で表示している様子を模式的に表している。指定領域４０４の波形画像４０５の表示色は、システム制御部１１１から指定可能としてよい。また、指定領域４０４と他の領域とにまたがる波形画像４０３、４０５は水平方向に対して同位置に表示されることになるが、レベルが異なる部分については視認可能で、レベルが同一な部分については、システム制御部１１１からの制御に従った優先順位により画像合成回路２１０で合成して表示することができる。
【００３７】
第２の実施形態でも、ユーザがフォーカス調整を実行する、又は拡大表示を実行する入力が入力操作部１１３より入力して拡大表示するときの画面表示処理は、図５のフローチャートと同様である。第１の実施形態と異なる点は、ステップＳ５０２において設定がＯＮとなっており、ステップＳ５０４に進んで、エッジモニタ表示処理を実行するときに、タイマにタイマ値Ｔを設定する。
【００３８】
図７は、フォーカス調整入力が一定時間なかった、又は拡大表示を解除する入力が入力操作部１１３より入力して拡大表示を解除し、通常画面表示を実行するときの画面表示処理を示すフローチャートである。
撮像映像をそのままの画角にて処理を行い（ステップＳ７０１）、タイマ値Ｔ＝０となっているか否かを判別する（ステップＳ７０２）。
ステップＳ７０２においてタイマ値Ｔ＝０となっていなければ、図４（ｃ）に示すように、撮像映像を全画面表示するとともに、前回拡大表示された領域４０４を表示し、さらにエッジ成分に基づく波形画像４０３、４０５を重畳表示する（ステップＳ７０３）。その後、タイマ値を減算し（ステップＳ７０５）、本処理を終了する。
ステップＳ７０２においてタイマ値Ｔ＝０となっていれば、通常のエッジモニタ表示設定となっているか否かを判別する（ステップＳ７０４）。
ステップＳ７０４において通常のエッジモニタ表示設定となっていれば、エッジモニタ表示処理を実行する（ステップＳ７０６）。ステップＳ７０４において通常のエッジモニタ表示設定となっていなければ、エッジモニタ表示を行わずに、本処理を終了する。
この通常画面表示処理は、通常の撮像映像を表示するモードが保持されている間一定時間毎に呼び出され、撮像映像やエッジモニタのリアルタイムでの視認を確保する。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
本発明は、焦点調節を行うフォーカス機能を有する撮像手段により撮像された映像を表示部に表示する撮像装置であれば適用可能である。このような撮像装置には、上述した実施形態のビデオカメラ以外に、例えばデジタルスチルカメラ、カメラ付き携帯情報端末、カメラ付き携帯電話等が含まれる。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４０】
１０１：レンズ部、１０２：撮像素子、１０３：撮像素子駆動部、１０４：ＣＤＳ／ＡＧＣ部、１０５：Ａ／Ｄ変換部、１０６：カメラ信号処理部、１０７：第１記憶部、１０８：レンズ駆動部、１１１：システム制御部、１１２：第２記憶部、１１３：入力操作部、１１４：計時部、１１５：ビデオ制御部、１１６：第３記憶部、１１７：コーデック部、１１９：第４記憶部、１２０：記録／再生部、１２１：記録媒体、１２２：第１表示部、１２３：第２表示部
【図１】
2014204390.tif 000003
【図２】
2014204390.tif 000004
【図３】
2014204390.tif 000005
【図４】
2014204390.tif 000006
【図５】
2014204390.tif 000007
【図６】
2014204390.tif 000008
【図７】
2014204390.tif 000009